(57)【要約】【課題】ユーザによる情報の入力の手間を軽減できる、画像処理装置、サーバおよび画像処理システムを提供する。【解決手段】ＭＦＰのＲＯＭには、ＭＦＰに関する装置情報と、機能サーバのアドレス情報とが記憶されている。ＭＦＰを使用するユーザに関するユーザ情報がＬＡＮインタフェースに受け付けられた場合、それに応じて、ＲＯＭに記憶されているアドレス情報で特定される機能サーバに、ユーザ情報およびＲＯＭに記憶されている装置情報が送信される。そのため、ユーザが装置情報をＭＦＰ２に入力する操作の必要がない【選択図】図３Ａ
2019118069.tif 000002
【特許請求の範囲】
【請求項１】
画像データに係る画像をシートに印刷する印刷処理及び原稿画像を読み取って画像データを取得する読取処理の少なくとも一方を実行する画像処理部と、
第１通信部と、
情報を受け付ける受付部と、
記憶部と、
前記画像処理部を制御して、標準機能及び有償機能の何れかを実行する制御部と、
を備える画像処理装置であって、
前記記憶部には、前記画像処理装置に係る装置情報およびサーバのアドレス情報が記憶されており、
前記制御部は、
ユーザ情報が前記受付部に受け付けられたことに応じて、前記ユーザ情報に係る認証処理を実行し、
前記有償機能に係る要求情報が前記受付部に受け付けられた場合、前記認証処理に係る認証が成功したということを条件として、前記記憶部に記憶されている前記アドレス情報を用いて、前記記憶部に記憶されている前記装置情報を前記第１通信部から前記サーバへ送信する、
画像処理装置。
【請求項２】
請求項１に記載の画像処理装置であって、
前記装置情報は、前記画像処理装置のシリアル番号を含む、画像処理装置。
【請求項３】
請求項１または２に記載の画像処理装置であって、
前記装置情報は、前記画像処理装置に装着されているオプション機器の情報を含む、画像処理装置。
【請求項４】
請求項１〜３のいずれか一項に記載の画像処理装置であって、
前記ユーザ情報は、クレジットカード番号を含む、画像処理装置。
【請求項５】
請求項１〜４のいずれか一項に記載の画像処理装置であって、
前記受付部は、外部端末から送信される前記ユーザ情報を受け付ける、画像処理装置。
【請求項６】
請求項１〜５のいずれか一項に記載の画像処理装置であって、
前記制御部は、
前記ユーザ情報が前記受付部に受け付けられた場合、前記第１通信部による前記サーバへのアクセス後、前記有償機能の試用要求を前記第１通信部から前記サーバへ送信し、
前記試用要求に対する試用許可を前記第１通信部に受信した場合、前記有償機能による画像データの処理を実行可能とする、画像処理装置。
【請求項７】
請求項６に記載の画像処理装置であって、
前記制御部は、
前記有償機能による画像データの処理の実行後、前記ユーザ情報が前記受付部に受け付けられた場合、前記第１通信部による前記サーバへのアクセス後、前記有償機能の本使用を可能とするライセンスの付与要求を前記第１通信部から前記サーバへ送信する、画像処理装置。
【請求項８】
請求項７に記載の画像処理装置であって、
画像データをシートに印刷する印刷部を備え、
前記制御部は、
前記第１通信部から前記サーバに前記ライセンスに係る決済情報を送信し、
前記決済情報の送信後、を前記サーバから前記第１通信部に受領書の画像データを受信した場合に、前記印刷部に前記受領書の画像データを印刷させる、画像処理装置。
【請求項９】
請求項１〜８のいずれか一項に記載の画像処理装置であって、
画像データをシートに印刷する印刷部と、
前記印刷部による印刷後のシートが排出される複数のメールボックスと
を備え、
前記制御部は、
前記サーバから前記第１通信部にメールボックス指定要求を受信したことに応じて、前記複数のメールボックスのうちの１つを指定する情報を前記第１通信部から前記サーバへ送信する、画像処理装置。
【請求項１０】
通信部と、
サーバ記憶部と、
サーバ制御部と
を備え、
前記サーバ記憶部には、前記画像処理装置に関する装置情報と対応づけて、前記画像処理装置で使用可能な有償機能の一覧が記憶されており、
前記サーバ制御部は、
前記画像処理装置から前記通信部に前記装置情報を受信したことに応じて、その受信した前記装置情報に対応づけられた前記有償機能の一覧の情報を前記通信部から前記画像処理装置に送信し、
前記画像処理装置から前記通信部に前記有償機能の試用要求を受信し、その受信した試用要求が前記画像処理装置に送信した前記有償機能の一覧に含まれる場合、前記試用要求に対する試用許可を前記通信部から前記画像処理装置に送信し、
前記試用許可の送信後、前記装置情報から前記画像処理装置が印刷後のシートの排出先としての複数のメールボックスを備えているか否かを判別し、
前記画像処理装置が前記複数のメールボックスを備えている場合、前記複数のメールボックスのうちの１つを指定することを要求するメールボックス指定要求を前記通信部から前記画像処理装置に送信し、
前記画像処理装置から前記通信部に前記複数のメールボックスのうちの１つを指定する情報を受信したことに応じて、当該指定された前記メールボックスを前記画像処理装置にログインしているユーザに割り当てる指示を前記通信部から前記画像処理装置に送信する、サーバ。
【請求項１１】
通信部と、
サーバ記憶部と、
サーバ制御部と
を備え、
前記サーバ記憶部には、前記画像処理装置に関する装置情報と対応づけて、前記画像処理装置で使用可能な有償機能の一覧が記憶されており、
前記サーバ制御部は、
前記画像処理装置から前記通信部に前記装置情報を受信したことに応じて、その受信した前記装置情報に対応づけられた前記有償機能の一覧の情報を前記通信部から前記画像処理装置に送信し、
前記画像処理装置から前記通信部に前記有償機能の試用要求を受信し、その受信した試用要求の対象の前記有償機能が前記画像処理装置に送信した前記有償機能の一覧に含まれる場合、前記試用要求に対する試用許可を前記通信部から前記画像処理装置に送信し、
前記試用許可の送信から前記有償機能の試用期間が経過した後、決済情報の入力要求を前記通信部から前記画像処理装置に送信し、
前記決済情報の入力要求に対して前記画像処理装置から前記通信部に前記決済情報を受信したことに応じて、前記装置情報から前記画像処理装置が画像データをシートに印刷する印刷部を備えているか否かを判別し、
前記画像処理装置が前記印刷部を備えている場合、前記通信部から前記画像処理装置に受領書の画像データを送信する、サーバ。
【請求項１２】
画像処理装置と、サーバとを含む画像処理システムであって、
前記画像処理装置は、
画像データに係る画像をシートに印刷する印刷処理及び原稿画像を読み取って画像データを取得する読取処理の少なくとも一方を実行する画像処理部と、
第１通信部と、
情報を受け付ける受付部と、
装置記憶部と、
前記画像処理部を制御して、標準機能及び有償機能の何れかを実行する装置制御部と
を備え、
前記装置記憶部には、前記画像処理装置に係る装置情報およびサーバのアドレス情報が記憶されており、
前記装置制御部は、
ユーザ情報が前記受付部に受け付けられたことに応じて、前記ユーザ情報に係る認証処理を実行し、
前記有償機能に係る要求情報が前記受付部に受け付けられた場合、前記認証処理に係る認証が成功したということを条件として、前記記憶部に記憶されている前記アドレス情報を用いて、前記装置記憶部に記憶されている前記装置情報を前記第１通信部から前記サーバへ送信する、画像処理システム。
【請求項１３】
請求項１２に記載の画像処理システムであって、
前記画像処理装置は、
画像データをシートに印刷する印刷部と、
前記印刷部による印刷後のシートが排出される複数のメールボックスと
を備え、
前記サーバは、
第２通信部と、
サーバ記憶部と、
サーバ制御部と
を備え、
前記サーバ記憶部には、前記画像処理装置に関する装置情報と対応づけて、前記画像処理装置で使用可能な前記有償機能の一覧が記憶されており、
前記サーバ制御部は、前記画像処理装置から前記第２通信部に前記装置情報を受信したことに応じて、その受信した前記装置情報に対応づけられた前記有償機能の一覧の情報を前記第２通信部から前記画像処理装置に送信し、
前記装置制御部は、前記有償機能の試用要求を前記第１通信部から前記サーバへ送信し、
前記サーバ制御部は、前記画像処理装置から前記第２通信部に前記有償機能の試用要求を受信し、その受信した試用要求の対象の前記有償機能が前記画像処理装置に送信した前記有償機能の一覧に含まれる場合、前記試用要求に対する試用許可を前記第２通信部から前記画像処理装置に送信し、
前記装置制御部は、前記試用許可を前記第１通信部に受信した場合、前記有償機能による画像データの処理を実行可能とし、
前記サーバ制御部は、前記試用許可の送信後、前記装置情報から前記画像処理装置が前記複数のメールボックスを備えているか否かを判別して、前記画像処理装置が前記複数のメールボックスを備えている場合、前記複数のメールボックスのうちの１つを指定することを要求するメールボックス指定要求を前記第２通信部から前記画像処理装置に送信し、
前記装置制御部は、前記メールボックス指定要求を前記第１通信部に受信したことに応じて、前記複数のメールボックスのうちの１つを指定する情報を前記第１通信部から前記サーバへ送信し、
前記サーバ制御部は、前記画像処理装置から前記第２通信部に前記複数のメールボックスのうちの１つを指定する情報を受信したことに応じて、当該指定された前記メールボックスを前記画像処理装置にログインしているユーザに割り当てる指示を前記第２通信部から前記画像処理装置に送信する、画像処理システム。
【請求項１４】
請求項１２に記載の画像処理システムであって、
前記画像処理装置は、
画像データをシートに印刷する印刷部と、
前記印刷部による印刷後のシートが排出される複数のメールボックスと
を備え、
前記サーバは、
第２通信部と、
サーバ記憶部と、
サーバ制御部と
を備え、
前記サーバ記憶部には、前記画像処理装置に関する装置情報と対応づけて、前記画像処理装置で使用可能な有償機能の一覧が記憶されており、
前記サーバ制御部は、前記画像処理装置から前記第２通信部に前記装置情報を受信したことに応じて、その受信した前記装置情報に対応づけられた前記有償機能の一覧の情報を前記第２通信部から前記画像処理装置に送信し、
前記装置制御部は、前記有償機能の試用要求を前記第１通信部から前記サーバへ送信し、
前記サーバ制御部は、前記画像処理装置から前記第２通信部に前記有償機能の試用要求を受信し、その受信した試用要求が前記画像処理装置に送信した前記有償機能の一覧に含まれる場合、前記試用要求に対する試用許可を前記第２通信部から前記画像処理装置に送信し、
前記装置制御部は、前記試用許可を前記第１通信部に受信した場合、前記有償機能による画像データの処理を実行可能とし、
前記サーバ制御部は、前記試用許可の送信から前記有償機能の試用期間が経過した後、決済情報の入力要求を前記第２通信部から前記画像処理装置に送信し、
前記装置制御部は、前記決済情報の入力要求を前記第１通信部に受信したことに応じて、前記第１通信部から前記サーバに決済情報を送信し、
前記サーバ制御部は、前記決済情報を前記第２通信部に受信したことに応じて、前記装置情報から前記印刷部を備えているか否かを判別して、前記画像処理装置が前記印刷部を備えている場合、前記通信部から前記画像処理装置に受領書の画像データを送信し、
前記装置制御部は、前記受領書の画像データを前記第２通信部に受信した場合に、前記印刷部に前記受領書の画像データを印刷させる、画像処理システム。
【発明の詳細な説明】
【技術分野】
【０００１】
本発明は、画像処理装置、サーバおよびそれらを含む画像処理システムに関する。
【背景技術】
【０００２】
画像処理装置の一例として、プリント機能、スキャン機能およびファックス機能を有するＭＦＰ（Multi-Function Peripheral）が知られている。プリント機能は、プリント用紙などのシートに画像データに係る画像を印刷する機能である。スキャン機能は、画像を読み取って画像データを生成する機能である。ファックス機能は、画像データを公衆電話回線を介して送受信する機能である。また、ＭＦＰは、スキャン機能およびプリント機能の組合せにより達成されるコピー機能を有している。
【０００３】
ＭＦＰには、上述した基本的な機能を標準機能として、その標準機能以外の追加機能を有償で追加可能なものがある。追加機能としては、たとえば、スキャン機能によって読み取られた画像データを電子メールに添付して送信するスキャンメール機能、スキャン機能によって読み取られた画像データをインターネット上のサーバにアップロードするスキャンアップロード機能、インターネット上のサーバから画像データをダウンロードしてプリント機能によってシートに印刷（プリント）するダウンロードプリント機能などがある。
【０００４】
ユーザが追加機能をＭＦＰに追加しても、その追加機能を使用する機会が少ないと、追加機能の追加のための出費が無駄になる。そこで、追加機能の使用回数または使用日数が制限されたお試しモードを設けて、お試しモードの途中または終了後、ユーザがその追加機能の継続使用を要求する場合に追加機能の継続使用を許容する構成が提案されている。
【先行技術文献】
【特許文献】
【０００５】
【特許文献１】特開２００５−３３３３３号公報
【発明の概要】
【発明が解決しようとする課題】
【０００６】
追加機能を一定の制限下において無料で試用できる場合、ユーザは、たとえば、追加機能の試用開始時にＰＣ（パーソナルコンピュータ）などの外部端末からサーバにアクセスし、追加機能を試用するＭＦＰに関する装置情報とユーザに関するユーザ登録情報とをサーバに送信する。そして、追加機能の試用後にその追加機能を購入して使用する場合に、ユーザは、外部端末からサーバに再びアクセスして、装置情報およびユーザ登録情報をサーバに再度送信して、サーバから追加機能を使用するためのライセンスコードを入手する。その後、ライセンスコードがＭＦＰに入力されると、追加機能の本使用が可能となる。
【０００７】
そのため、ＭＦＰでの追加機能を試用又は使用するに当たり、ユーザは、ユーザ情報と装置情報の両方を入力する必要があり、それがユーザにとって手間となる。
【０００８】
本発明の目的は、ユーザによる情報の入力の手間を軽減できる、画像処理装置、サーバおよび画像処理システムを提供することである。
【課題を解決するための手段】
【０００９】
前記の目的を達成するため、本発明の一の局面に係る画像処理装置は、画像データに係る画像をシートに印刷する印刷処理及び原稿画像を読み取って画像データを取得する読取処理の少なくとも一方を実行する画像処理部と、サーバと通信する第１通信部と、情報を受け付ける受付部と、記憶部と、画像処理部を制御して、標準機能及び有償機能の何れかを実行する制御部と、を備える画像処理装置であって、記憶部には、画像処理装置に係る装置情報およびサーバのアドレス情報が記憶されており、制御部は、ユーザ情報が受付部に受け付けられたことに応じて、ユーザ情報に係る認証処理を実行し、有償機能に係る要求情報が受付部に受け付けられた場合、認証処理に係る認証が成功したということを条件として、記憶部に記憶されているアドレス情報を用いて、記憶部に記憶されている装置情報を第１通信部からサーバへ送信する。
【００１０】
この構成によれば、記憶部には、画像処理装置に関する装置情報と、サーバのアドレス情報とが記憶されている。画像処理装置を使用するユーザに関するユーザ情報が受付部に受け付けられ、有償機能に係る要求情報が受付部に受け付けられた場合、ユーザ情報に係る認証処理が成功したことを条件として、記憶部に記憶されているアドレス情報で特定されるサーバに、ユーザ情報および記憶部に記憶されている装置情報が送信される。そのため、ユーザが装置情報を受付部に受け付けさせるための入力操作の必要がないので、その装置情報の入力操作の手間を省くことができる。その結果、画像処理装置の利便性を高めることができる。
【００１１】
なお、本発明は、画像処理装置の形態で実現することができるだけでなく、たとえば、画像処理装置が含まれる画像処理システムおよび画像処理装置とともに画像処理システムを構成するサーバの形態で実現することもできる。
【発明の効果】
【００１２】
本発明によれば、ユーザによる情報の入力の手間を軽減でき、画像処理装置の利便性を高めることができる。
【図面の簡単な説明】
【００１３】
【図１】本発明の一実施形態に係る画像処理システムの構成を示す図である。
【図２】ＭＦＰの電気的構成を示す図である。
【図３Ａ】有償機能使用処理のシーケンス図（その１）である。
【図３Ｂ】有償機能使用処理のシーケンス図（その２）である。
【図４Ａ】有償機能使用処理中に機能サーバで実行される処理の流れを示すフローチャート（その１）である。
【図４Ｂ】有償機能使用処理中に機能サーバで実行される処理の流れを示すフローチャート（その２）である。
【図４Ｃ】有償機能使用処理中に機能サーバで実行される処理の流れを示すフローチャート（その３）である。
【発明を実施するための形態】
【００１４】
以下では、本発明の実施の形態について、添付図面を参照しつつ詳細に説明する。
【００１５】
＜画像処理システム＞
図１に示される画像処理システム１は、ＭＦＰ（Multi-Function Peripheral）２に標準機能以外の機能を有償で追加可能にするシステムである。画像処理システム１は、ＭＦＰ２のほか、機能サーバ３（サーバの一例）およびユーザ端末４を含む。
【００１６】
ＭＦＰ２（画像処理装置の一例）は、プリント機能、スキャン機能、ファックス機能およびコピー機能を標準機能として搭載している。プリント機能は、画像データをシートに印刷する機能である。スキャン機能は、画像を読み取って画像データを生成する機能である。ファックス機能は、画像データを公衆電話回線を介して送受信する機能である。コピー機能は、原稿の画像を読み取ってその画像をシートに印刷する機能である。
【００１７】
ＭＦＰ２は、ネットワーク対応機器であり、ＬＡＮ（Local Area Network）５に接続して使用される。ＬＡＮ５は、インターネット６に接続されている。ＭＦＰ２に追加可能な機能は、標準機能とＬＡＮ５を経由する通信との連携により実現される有償機能である。有償機能には、たとえば、インターネットファックス機能、スキャンアップロード機能およびダウンロードプリント機能などがある。インターネットファックス機能は、外部の機器から電子メールを受信して、その電子メールに添付されている画像データをシートに印刷し、また、画像データを電子メールに添付して、その電子メールを外部の機器に送信する機能である。スキャンアップロード機能は、スキャン機能を使用するスキャンジョブの実行により画像を読み取り、その読み取った画像データを指定のサーバにアップロードする機能である。ダウンロードプリント機能は、指定のサーバから画像データをダウンロードして、その画像データをプリント機能によってシートに印刷する機能である。
【００１８】
また、ＭＦＰ２は、画像が印刷されたシートの排出先として、標準の排出トレイ以外に、たとえば、５個のメールボックスＭＢ１，ＭＢ２，ＭＢ３，ＭＢ４，ＭＢ５（以下、とくに区別する必要がない場合、「メールボックスＭＢ」と表記する。）を備えている。メールボックスＭＢは、ＭＦＰ２に追加で装着されるオプション機器である。
【００１９】
機能サーバ３は、たとえば、ＭＦＰ２のメーカにより提供されるサーバであり、インターネット上に置かれている。機能サーバ３は、ＣＰＵ（Central Processing Unit）１１、ＲＯＭ（Read Only Memory）１２、ＲＡＭ（Random Access Memory）１３およびＬＡＮインタフェース（Ｉ／Ｆ）１４などを備えている。ＣＰＵ１１（サーバ制御部の一例）は、ＲＯＭ１２（サーバ記憶部の一例）に記憶されているプログラムを実行することにより、機能サーバ３の各部の動作を制御する。ＲＯＭ１２には、フラッシュメモリなどのデータ書換可能な不揮発性メモリが含まれる。ＲＡＭ１３は、ＣＰＵ３４がプログラムを実行する際のワークエリアとして使用される。ＬＡＮインタフェース１４（第２通信部の一例）は、ＬＡＮ５との接続のためのインタフェースである。
【００２０】
ユーザ端末４（外部端末の一例）は、ユーザにより操作されるＰＣ（Personal Computer）などの端末であり、ＬＡＮ５に接続されている。ユーザがユーザ端末４を操作することにより、ユーザ端末４からＬＡＮ５を経由してＭＦＰ２に、標準機能または有償機能を使用したジョブの実行指示を送信することができる。
【００２１】
ＬＡＮ５は、有線ＬＡＮまたは無線ＬＡＮの一方であってもよいし、有線ＬＡＮと無線ＬＡＮとを組み合わせて構成されていてもよい。
【００２２】
＜ＭＦＰの電気的構成＞
ＭＦＰ２は、図２に示されるように、スキャン機能のための読取部２１（画像処理部の一例）と、プリント機能のための印刷部２２（画像処理部の一例）とを備えている。
【００２３】
読取部２１による画像読取の方式は、シートを搬送しつつそのシートの画像を読み取るＡＤＦ（Auto Document Feeder）方式であってもよいし、コンタクトガラス上に載置されたシートの画像を読み取るＦＢ（Flat Bed）方式であってもよい。
【００２４】
印刷部２２による画像形成の方式は、電子写真方式であってもよいし、インクジェット方式であってもよい。また、シートに形成される画像は、カラー画像であってもよいし、モノクロ画像であってもよい。
【００２５】
また、ＭＦＰ２は、操作パネル２３を備えている。操作パネル２３には、操作部２４および表示部２５が設けられている。
【００２６】
操作部２４は、操作キー（たとえば、スタートキー、戻るキー）を備えている。操作キーが操作されると、その操作が操作部２４に受け付けられて、その操作の内容に応じた信号（データ）が操作パネル２３から出力される。
【００２７】
表示部２５は、たとえば、液晶ディスプレイからなる。
【００２８】
なお、操作部２４および表示部２５は、タッチパネルを構成していてもよい。タッチパネルを構成する表示部２５には、各種の情報や操作ボタンなどの画像が表示される。ユーザが表示部２５に表示される操作ボタンを押操作（タッチ操作）することにより、その操作が操作部２４に受け付けられて、その操作の内容に応じた信号（データ）が操作パネル２３から出力される。以下では、操作部２４および表示部２５がタッチパネルを構成する場合を取り上げる。
【００２９】
また、ＭＦＰ２は、ＬＡＮインタフェース（Ｉ／Ｆ）２６、ＦＡＸインタフェース（Ｉ／Ｆ）２７および制御部２８を備えている。
【００３０】
ＬＡＮインタフェース２６（第１通信部および受付部の一例）は、ＬＡＮ２との接続のためのインタフェースである。
【００３１】
ＦＡＸインタフェース２７は、ファクシミリ通信に使用される公衆電話回線との接続のためのインタフェースであり、ＮＣＵ（Network Control Unit）を内蔵したモデムなどを備えている。
【００３２】
制御部２８は、ＡＳＩＣ（Application Specific Integrated Circuit）３１、ＲＯＭ３２（記憶部および装置記憶部の一例）およびＲＡＭ３３を備えている。
【００３３】
ＡＳＩＣ３１には、ＲＯＭ３２およびＲＡＭ３３以外に、読取部２１、印刷部２２、操作部２４、表示部２５、ＬＡＮインタフェース２６およびＦＡＸインタフェース２７が接続されている。
【００３４】
ＡＳＩＣ３１は、ＣＰＵ３４（制御部および装置制御部の一例）を内蔵している。ＡＳＩＣ３１には、操作パネル２３から出力される信号などが入力される。ＣＰＵ３４は、ＡＳＩＣ３１に入力される信号などに基づいて、ＲＯＭ３２に記憶されているプログラムを実行することにより、読取部２１、印刷部２２、操作部２４、表示部２５、ＬＡＮインタフェース２６およびＦＡＸインタフェース２７を含む各部を制御する。
【００３５】
ＲＯＭ３２は、フラッシュメモリなどの書き換え可能な不揮発性メモリからなる。ＲＯＭ３２には、ＣＰＵ３４によって実行されるプログラムおよび各種のデータなどが記憶されている。また、ＲＯＭ３２には、ＭＦＰ２に関する装置情報が記憶されている。装置情報には、たとえば、ＭＦＰ２のモデル名、ＭＦＰ２のシリアル番号、エラー発生の有無、ＭＦＰ２に装着されているオプション機器の情報、ユーザ設定または工場出荷時の設定による使用言語の情報などが含まれる。また、オプション機器の情報には、メールボックスＭＢが装着されているか否か、メールボックスＭＢが装着されている場合にはその個数、ＮＦＣ（Near Field Communication）通信によりＩＣカードから情報を読み取るカードリーダが装着されているか否か、バーコードリーダが装着されているか否かなどが含まれる。さらに、ＲＯＭ３２には、機能サーバ３のアドレスの情報が記憶されている。
【００３６】
ＲＡＭ３３は、ＤＲＡＭ（Dynamic Random Access Memory）などの揮発性メモリであり、ＣＰＵ３４がプログラムを実行する際のワークエリアとして使用される。
【００３７】
＜有償機能使用処理＞
有償機能は、有償でＭＦＰ２に追加可能な機能であるが、ユーザは、一定の試用期間（お試し期間）に限り、有償機能を無償で試しに使用（試用）することができる。
【００３８】
ユーザは、有償機能を試用する場合、ユーザ端末４のウェブブラウザを使用して、ＭＦＰ２に組み込まれているサーバ（ＥＷＳ：Embedded Web Server）のウェブサイトにアクセスする。このウェブサイトのトップページには、試用可能な有償機能の一覧の表示を要求する一覧表示ボタンを含む複数のボタンが表示されている。ユーザは、ユーザ端末４を操作して、たとえば、マウスポインタで一覧表示ボタンを押すことにより、図３Ａに示されるように、試用可能な有償機能の一覧の表示要求を選択することができる。
【００３９】
一覧表示ボタンが押されると、ウェブブラウザの画面がトップページからログインページに切り替わる。ユーザによりユーザ端末４が操作されて、ログインページでユーザＩＤおよびパスワードが入力されると、ＭＦＰ２から機能サーバ３に接続要求が送信される。ＭＦＰ２のＲＯＭ３２には、機能サーバ３のアドレスの情報が保存されている。また、機能サーバ３によるユーザ認証（サーバ認証）のために、ログインページで入力されたユーザＩＤおよびパスワードがＭＦＰ２から機能サーバ３に送信される。
【００４０】
機能サーバ３のＣＰＵ１１は、図４Ａに示されるように、ＭＦＰ２から接続要求を受信すると（Ｓ１１：ＹＥＳ）、接続要求に続いて受信するユーザＩＤおよびパスワードを用いて接続認証を行う（Ｓ１２）。具体的には、機能サーバ３のＲＯＭ１２には、認証データベースが構築されている。認証データベースには、有償機能を使用可能なユーザのユーザＩＤとパスワードとが対応づけて登録されている。接続認証では、ＣＰＵ１１は、ＭＦＰ２から受信したユーザＩＤおよびパスワードの組合せが認証データベースに登録されているか否かを確認する。
【００４１】
ユーザＩＤおよびパスワードの組合せが認証データベースに登録されている場合、接続認証が成功となり、ユーザＩＤおよびパスワードの組合せが認証データベースに登録されていない場合、接続認証が失敗となる。接続認証が成功である場合（Ｓ１３：ＹＥＳ）、機能サーバ３のＣＰＵ１１は、ＭＦＰ２から機能サーバ３への接続を許可する接続応答をＭＦＰ２に送信する（Ｓ１４）。一方、接続認証が失敗である場合には（Ｓ１３：ＮＯ）、ＣＰＵ１１は、ＭＦＰ２から機能サーバ３への接続を拒否する。
【００４２】
接続応答の送信後、機能サーバ３のＣＰＵ１１は、ＭＦＰ２からの今回の接続要求が有償機能の試用登録のための接続要求（要求情報の一例）であるか否かを判断する（Ｓ１５）。試用登録のための接続要求か否かは、接続認証前に接続要求を受信したか後述する機能継続使用の通知を受信したかによって判断可能である。すなわち、ＣＰＵ１１は、接続認証前に接続要求を受信した場合には、今回の接続要求が試用登録のための接続要求であると判断し、接続認証前に機能継続使用の通知を受信した場合には、今回の接続要求が試用登録のための接続要求ではないと判断する。
【００４３】
ＭＦＰ２から機能サーバ３への接続要求が有償機能の試用登録のための接続要求である場合（Ｓ１５：ＹＥＳ）、機能サーバ３のＣＰＵ１１は、ＭＦＰ２からの装置情報の受信を待つ（Ｓ１６）。
【００４４】
一方、機能サーバ３からの接続応答をＭＦＰ２が受信すると、ＭＦＰ２のＡＳＩＣ３１のＣＰＵ３４は、図３Ａに示されるように、ＲＯＭ３２に記憶されている装置情報をＬＡＮインタフェース２６から機能サーバ３に送信する。
【００４５】
ＭＦＰ２から送信される装置情報を機能サーバ３が受信すると（Ｓ１６：ＹＥＳ）、図３Ａおよび図４Ａに示されるように、機能サーバ３のＣＰＵ１１は、ユーザＩＤおよび装置情報からユーザがＭＦＰ２で試用可能な有償機能の一覧を作成する（Ｓ１７）。たとえば、ユーザごとに試用可能な有償機能が設定されて、その試用可能な有償機能がユーザＩＤと対応づけて認証データベースに登録されている。ＣＰＵ１１は、ユーザＩＤに対応づけて登録されている有償機能の中から、ＭＦＰ２から受信した装置情報に含まれるオプション機器の情報に基づいてＭＦＰ２で使用可能な有償機能を選択し、その選択した有償機能を試用可能な有償機能として決定することにより一覧を作成する。
【００４６】
試用可能な有償機能の一覧の作成後、機能サーバ３のＣＰＵ１１は、作成した一覧の表示の指示をＭＦＰ２に送信する（Ｓ１８）。この指示を受けて、ＭＦＰ２のＣＰＵ３４は、図３Ａに示されるように、ＭＦＰ２に組み込まれているサーバにアクセスするウェブブラウザの画面に、ユーザが試用可能な有償機能の一覧とともに、その一覧に含まれる有償機能の中の１つをユーザが選択可能な機能選択ページを表示させる。
【００４７】
ユーザは、ユーザ端末４を操作して、機能選択ページ上で試用したい有償機能を選択する。有償機能が選択されると、ＭＦＰ２のＣＰＵ３４は、その選択された有償機能を機能サーバ３に通知する。図３Ａおよび図４Ａに示されるように、ユーザによって選択された有償機能の通知を機能サーバ３が受信すると（Ｓ１９：ＹＥＳ）、機能サーバ３のＣＰＵ１１は、図４Ｂに示されるように、その通知された有償機能をＭＦＰ２で有効化可能であるか否かを判断する（Ｓ２０）。
【００４８】
以下、ユーザがインターネットファックス機能を選択した場合を取り上げる。
【００４９】
たとえば、ユーザが選択したインターネットファックス機能をＭＦＰ２で過去に試用済みである場合、機能サーバ３のＣＰＵ１１は、インターネットファックス機能を有効化できないと判断する（Ｓ２０：ＮＯ）。この場合、ＣＰＵ１１は、ＭＦＰ２にエラーを通知して（Ｓ２１）、この一連の処理を終了する。ＭＦＰ２のＣＰＵ３４は、機能サーバ３からのエラーの通知に応じて、ＭＦＰ２に組み込まれているサーバにアクセスするウェブブラウザの画面に、エラーを報知するページを表示させる。
【００５０】
ユーザによって選択されたインターネットファックス機能をＭＦＰ２で有効化可能である場合（Ｓ２０：ＹＥＳ）、機能サーバ３のＣＰＵ１１は、図３Ａおよび図４Ｂに示されるように、インターネットファックス機能を有効化する通知をＭＦＰ２に送信する（Ｓ２２）。
【００５１】
この有効化の通知をＭＦＰ２が受信すると、ＭＦＰ２のＣＰＵ３４は、図３Ａに示されるように、インターネットファックス機能を試用可能に有効化して、その試用期間のカウントダウンを開始する。
【００５２】
また、機能サーバ３のＣＰＵ１１は、図４Ｂに示されるように、ユーザがＭＦＰ２にログイン中であり（Ｓ２３）、かつ、ＭＦＰ２にメールボックスＭＢが装着されているかを確認する（Ｓ２４）。そして、ユーザがＭＦＰ２にログイン中であり（Ｓ２３：ＹＥＳ）、かつ、ＭＦＰ２にメールボックスＭＢが装着されている場合（Ｓ２４：ＹＥＳ）、機能サーバ３のＣＰＵ１１は、メールボックスＭＢの１つを選択する画面の表示の指示をＭＦＰ２に送信する（Ｓ２５）。この指示を受けて、ＭＦＰ２のＣＰＵ３４は、図３Ａに示されるように、ＭＦＰ２に組み込まれているサーバにアクセスするウェブブラウザの画面に、ユーザによるメールボックスＭＢの選択を受け付けるメールボックス選択ページを表示させる。
【００５３】
ユーザは、ユーザ端末４を操作して、メールボックス選択ページ上でＭＦＰ２に装着されているメールボックスＭＢのうちの１つを選択する。メールボックスＭＢの１つが選択されると、ＭＦＰ２のＣＰＵ３４は、その選択されたメールボックスＭＢがいずれであるかを機能サーバ３に通知する。この通知を機能サーバ３が受信すると（Ｓ２６：ＹＥＳ）、図３Ａおよび図４Ｂに示されるように、機能サーバ３のＣＰＵ１１は、通知されたメールボックスＭＢをログイン中のユーザ用のメールボックスＭＢとして設定する指示をＭＦＰ２に送信する（Ｓ２７）。
【００５４】
その後、機能サーバ３のＣＰＵ１１は、ＭＦＰ２から受信した装置情報をユーザ情報（ユーザＩＤ）と対応づけてＲＯＭ１２に登録する（Ｓ２８）。これにより、ＭＦＰ２がインターネットファックス機能を試用済みの装置として登録（試用登録）される。
【００５５】
そして、機能サーバ３のＣＰＵ１１は、ＭＦＰ２の試用登録を完了した旨の通知をＭＦＰ２に送信して（Ｓ２９）、一連の処理を終了する。その通知をＭＦＰ２が受信すると、ＭＦＰ２のＣＰＵ３４は、図３Ｂに示されるように、ＭＦＰ２に組み込まれているサーバにアクセスするウェブブラウザの画面に、ＭＦＰ２の試用登録を完了した旨をユーザに通知するページを表示させる。
【００５６】
インターネットファックス機能の有効化から所定期間が経過して、インターネットファックス機能の試用期間のカウントダウンが終了すると、ＭＦＰ２のＣＰＵ３４は、インターネットファックス機能の試用期間の終了を検知する。
【００５７】
インターネットファックス機能の試用期間の終了後、ユーザがユーザ端末４のウェブブラウザを使用してＭＦＰ２に組み込まれているサーバのウェブサイトにアクセスすると、ＭＦＰ２のＣＰＵ３４は、ＭＦＰ２に組み込まれているサーバにアクセスするウェブブラウザの画面に、インターネットファックス機能の試用期間の終了を通知するとともに、インターネットファックス機能を継続的に使用することを問い合わせる試用期間終了通知ページを表示させる。ユーザによりユーザ端末４が操作されて、試用期間終了通知ページ上でインターネットファックス機能の継続使用が選択されると、ＭＦＰ２のＣＰＵ３４は、ウェブブラウザの画面を試用期間終了通知ページからログインページに切り替える。ユーザによりユーザ端末４が操作されて、ログインページでユーザＩＤおよびパスワードが入力されると、ＭＦＰ２のＣＰＵ３４は、機能継続使用の通知を機能サーバ３に送信する。また、機能サーバ３によるユーザ認証のために、ＭＦＰ２のＣＰＵ３４は、ログインページで入力されたユーザＩＤおよびパスワードがＭＦＰ２から機能サーバ３に送信する。
【００５８】
機能サーバ３のＣＰＵ１１は、図４Ａに示されるように、ＭＦＰ２から機能継続使用の通知を受信すると、その機能継続使用の通知による接続要求と判断して（Ｓ１１：ＹＥＳ）、接続要求に続いて受信するユーザＩＤおよびパスワードを用いて接続認証を行う（Ｓ１２）。接続認証が成功である場合（Ｓ１３：ＹＥＳ）、機能サーバ３のＣＰＵ１１は、ＭＦＰ２から機能サーバ３への接続を許可する接続応答をＭＦＰ２に送信する（Ｓ１４）。
【００５９】
接続応答の送信後、機能サーバ３のＣＰＵ１１は、ＭＦＰ２からの今回の接続要求が有償機能の試用登録のための接続要求であるか否かを判断する（Ｓ１５）。今回の接続要求は、機能継続使用の通知による接続要求であるため、ＣＰＵ１１は、有償機能の試用登録のための接続要求ではないと判断する（Ｓ１５：ＮＯ）。そして、ＣＰＵ１１は、ＭＦＰ２からの今回の接続要求がインターネットファックス機能の正式使用登録のための接続要求（要求情報の一例）であるか否かを判断する（Ｓ３０）。
【００６０】
ＭＦＰ２から機能サーバ３への接続要求がインターネットファックス機能の正式使用登録のための接続要求ではない場合（Ｓ３０：ＮＯ）、機能サーバ３のＣＰＵ１１は、ＭＦＰ２から機能サーバ３への接続を拒否する。
【００６１】
ＭＦＰ２から機能サーバ３への接続要求がインターネットファックス機能の正式使用登録のための接続要求である場合（Ｓ３０：ＹＥＳ）、機能サーバ３のＣＰＵ１１は、ＭＦＰ２が試用登録済みであるか否かを判断する（Ｓ３１）。
【００６２】
ＭＦＰ２が試用登録済みではない場合（Ｓ３１：ＮＯ）、機能サーバ３のＣＰＵ１１は、装置情報の送信をＭＦＰ２に指示し、ＭＦＰ２からの装置情報の受信を待つ（Ｓ３２）。
【００６３】
ＭＦＰ２が試用登録済みである場合（Ｓ３１：ＹＥＳ）、または、ＭＦＰ２から装置情報を受信した場合（Ｓ３２：ＹＥＳ）機能サーバ３のＣＰＵ１１は、決済情報の入力をユーザに要求する決済情報入力ページの表示の指示をＭＦＰ２に送信する（Ｓ３３）。この指示を受けて、ＭＦＰ２のＣＰＵ３４は、図３Ｂに示されるように、ＭＦＰ２に組み込まれているサーバにアクセスするウェブブラウザの画面に、決済情報入力ページを表示させる。
【００６４】
ユーザによりユーザ端末４が操作されて、決済情報入力ページ上でクレジットカードやＩＣカードによる決済に関する情報が入力されると、ＭＦＰ２のＣＰＵ３４は、その入力された決済情報を機能サーバ３に通知する。
【００６５】
ＭＦＰ２からの決済情報の通知を機能サーバ３が受信すると（Ｓ３４：ＹＥＳ）、機能サーバ３のＣＰＵ１１は、図３Ｂおよび図４Ｃに示されるように、ユーザのクレジットカードなどによる決済が有効であるかを判断し、決済が有効であれば、その決済を承認する（Ｓ３５：決済処理）。
【００６６】
そして、機能サーバ３のＣＰＵ１１は、受領書をＰＤＦファイルの形態で作成する（Ｓ３６）。このとき、ＣＰＵ１１は、装置情報を参照して、装置情報に含まれる言語の情報からＭＦＰ２で使用されている言語にて受領書を作成する。
【００６７】
また、機能サーバ３のＣＰＵ１１は、インターネットファックス機能の正式使用の開始の許可を送信する（Ｓ３７）。
【００６８】
その後、機能サーバ３のＣＰＵ１１は、ＭＦＰ２の装置情報からＭＦＰ２がプリント機能を使用可能であることを確認する（Ｓ３８）。
【００６９】
ＭＦＰ２がプリント機能を使用可能である場合（Ｓ３８：ＹＥＳ）、図３Ｂおよび図４Ｃに示されるように、機能サーバ３のＣＰＵ１１は、受領書を印刷するかをユーザに確認する受領書印刷確認ページの表示の指示をＭＦＰ２に送信する（Ｓ３９）。この指示を受けて、ＭＦＰ２のＣＰＵ３４は、図３Ｂに示されるように、ＭＦＰ２に組み込まれているサーバにアクセスするウェブブラウザの画面に、受領書印刷確認ページを表示させる。
【００７０】
ユーザによりユーザ端末４が操作されて、受領書印刷確認ページ上で受領書の印刷が選択されると、ＭＦＰ２のＣＰＵ３４は、受領書の印刷が選択された旨の通知を機能サーバ３に送信する。
【００７１】
機能サーバ３のＣＰＵ１１は、図３Ｂおよび図４Ｃに示されるように、ＭＦＰ２から受領書の印刷が選択された旨の通知を受信すると（Ｓ４０：ＹＥＳ）、受領書の印刷の指示をＭＦＰ２に送信する（Ｓ４１）。そして、ＣＰＵ１１は、インターネットファックス機能を正式に使用可能な装置としてＭＦＰ２をＲＯＭ１２に登録して（Ｓ４２）、この一連の処理を終了する。
【００７２】
図３Ｂに示されるように、機能サーバ３からの受領書の印刷の指示をＭＦＰ２が受信すると、ＭＦＰ２のＣＰＵ３４は、印刷部２２を制御して、受領書を印刷させる。また、ＣＰＵ３４は、ＭＦＰ２に組み込まれているサーバにアクセスするウェブブラウザの画面に、ＭＦＰ２がインターネットファックス機能を正式に使用可能な装置として登録された旨を通知する登録成功通知ページを表示して、一連の処理を終了する。
【００７３】
なお、ＭＦＰ２がエラーなどによってプリント機能を使用不能である場合（Ｓ３８：ＮＯ）、機能サーバ３のＣＰＵ１１は、ユーザ情報としてユーザのメールアドレスが登録済みであるか否かを判断する（Ｓ４３）。
【００７４】
メールアドレスが登録済みである場合（Ｓ４３：ＹＥＳ）、機能サーバ３のＣＰＵ１１は、受領書を電子メールに添付して送信することの許可を確認する受領書送付許可ページの表示の指示をＭＦＰ２に送信する。この指示を受けて、ＭＦＰ２のＣＰＵ３４は、ＭＦＰ２に組み込まれているサーバにアクセスするウェブブラウザの画面に、受領書送付許可ページを表示させる。
【００７５】
ユーザによりユーザ端末４が操作されて、受領書送付許可ページで受領書の送信が許可されると、ＭＦＰ２のＣＰＵ３４は、受領書の送信が許可された旨の通知を機能サーバ３に送信する。
【００７６】
機能サーバ３のＣＰＵ１１は、ＭＦＰ２から受領書の送信が許可された旨の通知を受信すると（Ｓ４４：ＹＥＳ）、受領書を電子メールに添付してユーザのメールアドレス宛に送付する（Ｓ４５）。そして、ＣＰＵ１１は、インターネットファックス機能を正式に使用可能な装置としてＭＦＰ２をＲＯＭ１２に登録して（Ｓ４２）、この一連の処理を終了する。
【００７７】
ユーザのメールアドレスが登録されていないか（Ｓ４３：ＮＯ）、または、受領書送付許可ページで受領書の送信がユーザにより拒否されて、その旨の通知をＭＦＰ２から機能サーバ３が受信した場合には（Ｓ４４：ＮＯ）、機能サーバ３のＣＰＵ１１は、メールアドレスの入力を要求するメールアドレス入力ページの表示の指示をＭＦＰ２に送信する（Ｓ４６）。この指示を受けて、ＭＦＰ２のＣＰＵ３４は、ＭＦＰ２に組み込まれているサーバにアクセスするウェブブラウザの画面に、メールアドレス入力ページを表示させる。
【００７８】
ユーザによりユーザ端末４が操作されて、メールアドレス入力ページでメールアドレスが入力されると、そのメールアドレスがＭＦＰ２から機能サーバ３に送信される。機能サーバ３がメールアドレスを受信すると（Ｓ４７：ＹＥＳ）、機能サーバ３のＣＰＵ１１は、受領書を電子メールに添付してユーザのメールアドレス宛に送付する（Ｓ４５）。そして、ＣＰＵ１１は、インターネットファックス機能を正式に使用可能な装置としてＭＦＰ２をＲＯＭ１２に登録して（Ｓ４２）、この一連の処理を終了する。
【００７９】
＜作用効果＞
以上のように、ＲＯＭ３２には、ＭＦＰ２に関する装置情報と、機能サーバ３のアドレス情報とが記憶されている。ＭＦＰ２を使用するユーザに関するユーザ情報がＬＡＮインタフェース２６に受け付けられた場合、それに応じて、ＲＯＭ３２に記憶されているアドレス情報で特定される機能サーバ３に、ユーザ情報およびＲＯＭ３２に記憶されている装置情報が送信される。そのため、ユーザが装置情報をＭＦＰ２に入力する操作（ユーザ端末４の操作）の必要がないので、その装置情報の入力操作の手間を省くことができる。その結果、ＭＦＰ２の利便性を高めることができる。
【００８０】
ユーザが有償機能を正式に使用する場合には、ＭＦＰ２から機能サーバ３に決済情報が送信される。決済情報を機能サーバ３が受信すると、機能サーバ３で受領書のＰＤＦファイルが作成される。ユーザが所望する場合には、その受領書のＰＤＦファイルが機能サーバ３からＭＦＰ２に送信されて、ＭＦＰ２で受領書のＰＤＦファイルが印刷される。これにより、ユーザは、簡便に受領書を入手することができる。
【００８１】
また、ＭＦＰ２に複数のメールボックスＭＢが装着されている場合、インターネットファックス機能など、プリンタ機能を用いる有償機能の試用を開始する際に、複数のメールボックスＭＢのうちの１つをユーザ用のメールボックスＭＢとして設定することができる。これにより、ユーザがメールボックスＭＢを便利に試用することができる。
【００８２】
＜変形例＞
以上、本発明の一実施形態について説明したが、本発明は、他の形態で実施することもできる。
【００８３】
たとえば、前述の実施形態では、ＭＦＰ２とユーザ端末４とがＬＡＮ５を介して接続されているとしたが、ＭＦＰ２とユーザ端末４とは、ＵＳＢケーブルを介して接続されていてもよい。
【００８４】
また、前述の実施形態では、ＬＡＮインタフェース２６が第１通信部および受付部の一例であるとしたが、第１通信部と受付部とが別々の構成としてＭＦＰ２に設けられてもよい。たとえば、ＭＦＰ２には、ＬＡＮインタフェース２６が第１通信部の一例として設けられ、操作部２４またはＵＳＢ接続のためのＵＳＢインタフェースが第２通信部の一例として設けられてもよい。
【００８５】
有償機能の試用開始の際に、ユーザ情報の一例であるユーザＩＤとパスワードとがＭＦＰ２から機能サーバ３に送信されるとしたが、そのＭＦＰ２から機能サーバ３に送信されるユーザ情報には、ユーザのクレジットカード番号が含まれていてもよい。この場合、ＭＦＰ２が有償機能を正式に使用可能な装置として登録される際に、ユーザがクレジットカード番号などの決済情報を入力する手間を省くことができる。
また、要求情報の一例として試用登録や本使用登録の接続要求が挙げられたが、この要求情報にユーザのクレジット番号が含まれていてもよい。
【００８６】
また、前述の実施形態では、ＭＦＰ２のＣＰＵ３４および機能サーバ３のＣＰＵ１１が各処理を実行する構成を取り上げた。しかしながら、ＭＦＰ２が複数のＣＰＵを備え、その複数のＣＰＵが協働して各処理を実行してもよいし、また、機能サーバ３が複数のＣＰＵを備え、その複数のＣＰＵが協働して各処理を実行してもよいし、
【００８７】
さらに、前述の実施形態では、画像処理装置の一例として、画像形成機能および画像読取機能を有するＭＦＰ２を取り上げたが、画像処理装置は、プリンタ機能を有する単機能のプリンタであってもよいし、スキャナ機能を有する単機能のスキャナであってもよい。
【００８８】
その他、前述の構成には、特許請求の範囲に記載された事項の範囲で種々の設計変更を施すことが可能である。
【符号の説明】
【００８９】
１：画像処理システム
２：ＭＦＰ
３：機能サーバ
４：ユーザ端末
１１：ＣＰＵ
１２：ＲＯＭ
１４：ＬＡＮインタフェース
２１：読取部
２２：印刷部
２６：ＬＡＮインタフェース
２７：ＦＡＸインタフェース
３２：ＲＯＭ
３４：ＣＰＵ
ＭＢ１〜５：メールボックス
【図１】
2019118069.tif 000003
【図２】
2019118069.tif 000004
【図３Ａ】
2019118069.tif 000005
【図３Ｂ】
2019118069.tif 000006
【図４Ａ】
2019118069.tif 000007
【図４Ｂ】
2019118069.tif 000008
【図４Ｃ】
2019118069.tif 000009